【手続補正書】
【提出日】令和1年11月26日(2019.11.26)
【手続補正１】
【補正対象書類名】特許請求の範囲
【補正対象項目名】全文
【補正方法】変更
【補正の内容】
【特許請求の範囲】
【請求項１】
埋め込まれたＵＶ可視化パターンを有する基材を製造する方法であって、この方法が、
（ａ）少なくとも１種類の蛍光増白剤及びフィラーを含む、コーティングされていない基材を提供する工程であって、前記フィラーが、前記基材の合計重量を基準として０〜６０重量％の塩形成性のアルカリ化合物又はアルカリ土類化合物を含む、工程と、
（ｂ）少なくとも１種類の酸を含む液体処理組成物を提供する工程と、
（ｃ）前記液体処理組成物を、前記基材の少なくとも１つの領域に、あらかじめ選択されたパターンの形態で適用し、埋め込まれたＵＶ可視化パターンを作成する工程と
を含む、方法。
【請求項２】
前記フィラーが、前記塩形成性のアルカリ化合物又はアルカリ土類化合物を、前記基材の合計重量を基準として、少なくとも１重量％の量で含む、請求項１に記載の方法。
【請求項３】
前記フィラーが、前記塩形成性のアルカリ化合物又はアルカリ土類化合物を、前記基材の合計重量を基準として、少なくとも５重量％の量で含む、請求項２に記載の方法。
【請求項４】
前記蛍光増白剤が、前記基材の合計重量を基準として、少なくとも０．００１重量％の量で存在する、請求項１〜３のいずれか一項に記載の方法。
【請求項５】
前記蛍光増白剤が、前記基材の合計重量を基準として、少なくとも０．１重量％の量で存在する、請求項４に記載の方法。
【請求項６】
前記蛍光増白剤が、スチルベン誘導体、ピラゾリン誘導体、クマリン誘導体、ベンゾオキサゾール誘導体、ナフタルイミド誘導体、ピレン誘導体、及びこれらの混合物からなる群から選択される、請求項１〜５のいずれか一項に記載の方法。
【請求項７】
前記蛍光増白剤が、ジアミノスチルベンジスルホン酸の誘導体、ジアミノスチルベンテトラスルホン酸の誘導体、ジアミノスチルベンヘキサスルホン酸の誘導体、４，４’−ジアミノ−２，２’−スチルベンジスルホン酸、４，４’−ビス（ベンゾオキサゾリル）−ｃｉｓ−スチルベン、２，５−ビス（ベンゾオキサゾール−２−イル）チオフェン、５−［（４−アニリノ−６−メトキシ−１，３，５−トリアジン−２−イル）アミノ］−２−［（Ｅ）−２−［４−［（４−アニリノ−６−メトキシ−１，３，５−トリアジン−２−イル）アミノ］−２−スルホナトフェニル］エテニル］ベンゼンスルホネート（ロイコフォアＰＣ）、及びこれらの混合物からなる群から選択される、請求項６に記載の方法。
【請求項８】
前記基材が、紙、厚紙、ボール紙又はプラスチックからなる群から選択される、請求項１〜７のいずれか一項に記載の方法。
【請求項９】
前記基材が、紙、厚紙又はボール紙である、請求項８に記載の方法。
【請求項１０】
前記塩形成性のアルカリ化合物又はアルカリ土類化合物が、アルカリ又はアルカリ土類の酸化物、アルカリ又はアルカリ土類の水酸化物、アルカリ又はアルカリ土類のアルコキシド、アルカリ又はアルカリ土類のメチル炭酸塩、アルカリ又はアルカリ土類のヒドロキシ炭酸塩、アルカリ又はアルカリ土類の重炭酸塩、アルカリ又はアルカリ土類の炭酸塩、又はこれらの混合物である、請求項１〜９のいずれか一項に記載の方法。
【請求項１１】
前記塩形成性のアルカリ化合物又はアルカリ土類化合物が、炭酸リチウム、炭酸ナトリウム、炭酸カリウム、炭酸マグネシウム、炭酸カルシウムマグネシウム、炭酸カルシウム、又はこれらの混合物から選択される、アルカリ又はアルカリ土類の炭酸塩である、請求項１０に記載の方法。
【請求項１２】
前記塩形成性のアルカリ化合物又はアルカリ土類化合物が、重量メジアン粒径ｄ５０が１５ｎｍ〜２００μｍの粒子の形態である、請求項１〜１１のいずれか一項に記載の方法。
【請求項１３】
前記塩形成性のアルカリ化合物又はアルカリ土類化合物が、重量メジアン粒径ｄ５０が２０ｎｍ〜１００μｍの粒子の形態である、請求項１２に記載の方法。
【請求項１４】
前記少なくとも１種類の酸が、塩酸、硫酸、亜硫酸、リン酸、クエン酸、シュウ酸、酢酸、ギ酸、スルファミン酸、酒石酸、フィチン酸、ホウ酸、コハク酸、スベリン酸、安息香酸、アジピン酸、ピメリン酸、アゼライン酸、セバシン酸、イソクエン酸、アコニット酸、プロパン−１，２，３−トリカルボン酸、トリメシン酸、グリコール酸、乳酸、マンデル酸、酸性有機硫黄化合物、酸性有機リン化合物、Ｌｉ＋、Ｎａ＋、Ｋ＋、Ｍｇ２＋又はＣａ２＋から選択される対応するカチオンによって少なくとも部分的に中和されたＨＳＯ４−、Ｈ２ＰＯ４−又はＨＰＯ４２−、及びこれらの混合物からなる群から選択される、請求項１〜１３のいずれか一項に記載の方法。
【請求項１５】
前記少なくとも１種類の酸が、塩酸、硫酸、亜硫酸、リン酸、シュウ酸、ホウ酸、スベリン酸、コハク酸、スルファミン酸、酒石酸及びこれらの混合物からなる群から選択される、請求項１４に記載の方法。
【請求項１６】
前記液体処理組成物が、さらに、蛍光染料、リン光染料、紫外線吸収染料、近赤外線吸収染料、サーモクロミック染料、ハロクロミック染料、金属イオン、遷移金属イオン、ランタニド、アクチニド、磁気粒子、量子ドット、又はこれらの混合物を含む、請求項１〜１５のいずれか一項に記載の方法。
【請求項１７】
前記液体処理組成物が、前記酸を、前記液体処理組成物の合計重量を基準として０．１〜１００重量％の量で含む、請求項１〜１６のいずれか一項に記載の方法。
【請求項１８】
前記液体処理組成物が、前記酸を、前記液体処理組成物の合計重量を基準として１〜８０重量％の量で含む、請求項１７に記載の方法。
【請求項１９】
前記あらかじめ選択されたパターンが、連続層、パターン、反復要素のパターン及び／又は要素の反復繰り返しである、請求項１〜１８のいずれか一項に記載の方法。
【請求項２０】
前記あらかじめ選択されたパターンが、一次元バーコード、二次元バーコード、三次元バーコード、ＱＲコード、ドットマトリックスコード、セキュリティマーク、数字、文字、英数記号、ロゴ、イメージ、形状、署名、デザイン、又はこれらの組み合わせである、請求項１９に記載の方法。
【請求項２１】
前記液体処理組成物が、スプレーコーティング、インクジェット印刷、オフセット印刷、フレキソ印刷、スクリーン印刷、プロッティング、コンタクトスタンピング、輪転式グラビア印刷、スピンコーティング、逆転（逆回転）グラビアコーティング、スロットコーティング、カーテンコーティング、スライドベッドコーティング、フィルムプレス、計量フィルムプレス、ブレードコーティング、ブラシコーティング、スタンピング及び／又はペンシルによって適用される、請求項１〜２０のいずれか一項に記載の方法。
【請求項２２】
前記液体処理組成物が、インクジェット印刷又はスプレーコーティングによって適用される、請求項２１に記載の方法。
【請求項２３】
前記方法が、さらに、埋め込まれたＵＶ可視化パターンの上に保護層を適用する工程（ｄ）を含む、請求項１〜２２のいずれか一項に記載の方法。
【請求項２４】
前記保護層がオーバープリントであり、印刷によって適用されるか、又は前記保護層が積層であり、積層法によって適用される、請求項２３に記載の方法。
【請求項２５】
請求項１〜２４のいずれか一項に記載の方法によって得ることができる、埋め込まれたＵＶ可視化パターンを有する基材。
【請求項２６】
請求項２５に記載の基材を含む製品であって、この製品が、ブランド製品、セキュリティ文書、非セキュア文書又は装飾品である、製品。
【請求項２７】
この製品が、香水、薬物、タバコ製品、アルコール薬物、瓶、衣類、包装、容器、スポーツ用品、玩具、ゲーム、携帯電話、コンパクトディスク（ＣＤ）、デジタルビデオディスク（ＤＶＤ）、ブルーレイディスク、機械、工具、車部品、ステッカー、ラベル、タグ、ポスター、パスポート、運転免許証、銀行カード、クレジットカード、債券、チケット、切手又は印紙、紙幣、証明書、ブランド認証タグ、名刺、グリーティングカード、クーポン券、タックスバンデロール又は壁紙である、請求項２６に記載の製品。
【請求項２８】
セキュリティ用途、隠れていないセキュリティ要素、隠れたセキュリティ要素、ブランド保護、マイクロレタリング、マイクロイメージング、装飾用途、芸術用途、視覚用途、包装用途、又はトラック及びトレース用途における、請求項２５に記載の基材の使用。